(57)【要約】【課題】  通風量を調節する羽根を風の強さに応じて自然に回動させられるだけでなく、羽根の開度を居住者が任意に設定することも可能な外壁構成体の提供【解決手段】  縦方向又は横方向に設置した構造材１と、構造材に屋内外に連通して設けた通風路２と、通風路内に軸支してあり通風量を調節する羽根３と、羽根駆動部４とを備え、羽根３は開方向に付勢してあり、羽根駆動部４は、操作部５と、操作部と羽根とを係脱自在にする係脱機構６を有し、係脱機構６が係合状態のときに羽根３を任意の角度に保持可能であり、操作部５を所定量以上操作することで係脱機構６が非係合状態となって羽根３が風の強さに応じて閉方向に回動自在となり、操作部５を戻すと係脱機構６が係合状態に復帰する。【選択図】      図１
2010084983.tif 000002
【特許請求の範囲】
【請求項１】
縦方向又は横方向に設置した構造材と、構造材に屋内外に連通して設けた通風路と、通風路内に軸支してあり通風量を調節する羽根と、羽根駆動部とを備え、羽根は開方向に付勢してあり、羽根駆動部は、操作部と、操作部と羽根とを係脱自在にする係脱機構を有し、係脱機構が係合状態のときに羽根を任意の角度に保持可能であり、操作部を所定量以上操作することで係脱機構が非係合状態となって羽根が風の強さに応じて閉方向に回動自在となり、操作部を戻すと係脱機構が係合状態に復帰することを特徴とする外壁構成体。
【請求項２】
係脱機構は、羽根と連動して回動する羽根連動アームと、操作部と連動して回動する操作部連動アームとを有し、羽根連動アームと操作部連動アームのうちの一方のアームは、他方のアームとの対向面より出没自在に且つ突出方向に付勢して設けた係合ピンを有し、他方のアームは、アーム長手方向に設けてあり且つ一端部に側方に向けて開放した開放部を有する係合ピン受け溝と、開放部が設けてある側の係合ピン受け溝の側方に設けたテーパー部とを有し、一方のアームの回動軸と他方のアームの回動軸とが互いに偏心しており、係合ピンが係合ピン受け溝に係合することで羽根を任意の角度に保持でき、操作部を所定量以上操作すると係合ピンが開放部を通じて係合ピン受け溝から抜け、操作部を戻すと係合ピンがテーパー部又は開放部より係合ピン受け溝に係合することを特徴とする請求項１記載の外壁構成体。
【発明の詳細な説明】
【技術分野】
【０００１】
本発明は、換気機能を持たせた方立等の構造材を有するサッシ、カーテンウォール等の外壁構成体に関する。
【背景技術】
【０００２】
建物の換気装置として特許文献１には、無目に外気を屋内に取り入れる通風路を設け、通風路内に揺動自在に軸支した羽根（翼６）により通風量を調節自在としたものが開示されている。羽根は、重力により通風路を開く方向に付勢されており、風が強くなるにしたがって通風路を閉じる方向に揺動して屋内に吹き込む風の量を調節する。またこの換気装置は、羽根を手動又は電動により強制的に揺動させて通風路を閉鎖する強制閉鎖装置を備えている。強制閉鎖装置は、ハンドル又はモータにより回動する軸が羽根の軸と同軸上に配置され、両方の軸の軸端に設けたフランジの突起物を互いに係合させることで、羽根を閉鎖側に強制的に揺動させることができる。
【特許文献１】特開２００６−５２９２７号公報
【発明の開示】
【発明が解決しようとする課題】
【０００３】
上述の換気装置は、風の強さに応じて羽根が自然に揺動して通風量が自動的に調節されるが、居住者が羽根を動かして開度を自由に設定したいという要望もある。特許文献１記載の換気装置では、強制閉鎖装置により羽根を閉鎖側に強制的に動かすことはできるが、羽根を全開位置や中間位置で保持することはできなかった。本発明は以上に述べた実情に鑑み、通風量を調節する羽根を風の強さに応じて自然に回動させられるだけでなく、羽根の開度を居住者が任意に設定することも可能な外壁構成体の提供を目的とする。
【課題を解決するための手段】
【０００４】
上記の課題を達成するために請求項１記載の発明による外壁構成体は、縦方向又は横方向に設置した構造材と、構造材に屋内外に連通して設けた通風路と、通風路内に軸支してあり通風量を調節する羽根と、羽根駆動部とを備え、羽根は開方向に付勢してあり、羽根駆動部は、操作部と、操作部と羽根とを係脱自在にする係脱機構を有し、係脱機構が係合状態のときに羽根を任意の角度に保持可能であり、操作部を所定量以上操作することで係脱機構が非係合状態となって羽根が風の強さに応じて閉方向に回動自在となり、操作部を戻すと係脱機構が係合状態に復帰することを特徴とする。
【０００５】
請求項２記載の発明による外壁構成体は、請求項１記載の発明の構成に加え、係脱機構は、羽根と連動して回動する羽根連動アームと、操作部と連動して回動する操作部連動アームとを有し、羽根連動アームと操作部連動アームのうちの一方のアームは、他方のアームとの対向面より出没自在に且つ突出方向に付勢して設けた係合ピンを有し、他方のアームは、アーム長手方向に設けてあり且つ一端部に側方に向けて開放した開放部を有する係合ピン受け溝と、開放部が設けてある側の係合ピン受け溝の側方に設けたテーパー部とを有し、一方のアームの回動軸と他方のアームの回動軸とが互いに偏心しており、係合ピンが係合ピン受け溝に係合することで羽根を任意の角度に保持でき、操作部を所定量以上操作すると係合ピンが開放部を通じて係合ピン受け溝から抜け、操作部を戻すと係合ピンがテーパー部又は開放部より係合ピン受け溝に係合することを特徴とする。
【発明の効果】
【０００６】
請求項１記載の発明による外壁構成体は、羽根駆動部に操作部と羽根とを係脱自在にする係脱機構を有しており、係脱機構を係合状態とすることで羽根を任意の角度に保持できるので、羽根を全開位置に保持して涼風感を得たり、中立位置や閉鎖位置に保持して通風量を制限したりできる。さらに、操作部を所定量以上操作すれば係脱機構が非係合状態となるため、羽根が風の強さに応じて閉方向に回動自在となり、通風量が自動的に調節される状態となる。また、操作部を戻せば係脱機構が係合状態に復帰し、操作部の操作により羽根を動かせる状態に容易に復帰できる。
【０００７】
請求項２記載の発明による外壁構成体は、操作部を回転させるだけの簡易な操作により、羽根の開閉操作及び任意角度での保持、係脱機構の係合・非係合状態相互の切替を安定確実に行える。
【発明を実施するための最良の形態】
【０００８】
以下、本発明の実施の形態を図面に基づいて説明する。図３は本発明の外壁構成体の一実施形態を示す屋外側正面図であり、図４（ａ）は図３のＡ−Ａ断面図、図４（ｂ）は方立部の屋内側面図、図５は図３のＢ−Ｂ断面図、図６は図３のＣ−Ｃ断面図である。本外壁構成体は、嵌め殺し窓を連窓した連窓サッシであって、図３に示すように、複数のパネル１５が横方向に並べて配置してあり、左右のパネル１５間に方立１が設けてある。パネル１５は、上枠１６と下枠１７と左右の竪枠１８ａ，１８ｂとを枠組みした枠内にガラスパネル１９を嵌め込んだものであり、上枠１６と下枠１７は建物の躯体２０に固定され、竪枠１８ａ，１８ｂは方立１に固定してある。
【０００９】
方立１は、図５に示すように、左右のパネル１５，１５を連結する方立本体部２１と、方立本体部２１と連通して屋外側に張り出した屋外側張出部２２とを有している。屋外側張出部２２は、屋外側に向かうにつれて見付寸法が小さくなるように左右の側面２３ａ，２３ｂが湾曲した傾斜面となっており、屋外側から見て左側の側面２３ａに外気導入口２４が縦長のスリット状に複数列形成してある。方立本体部２１は、図４に示すように、屋内側面に通気口２５が縦長のスリット状に複数形成してある。このように外気導入口２４と通気口２５を設けることで、方立１内には屋内外に連通した通風路２が形成されている。通風路２は、図４（ａ）に示すように、方立本体部２１内に設置した仕切り板２６により、上側と下側とに仕切られており、上下の各通風路２内に通風量を調節するための羽根３が上下方向の軸２７に軸着してそれぞれ設けてある。上下の通風路２，２間の方立本体部２１内の空間部には、上下の羽根３，３を駆動するための羽根駆動部４を設けてある。
【００１０】
羽根３は、図４，５に示すように、アルミ押出形材で縦長の中空の板状に形成され、基端部に上下に突出して設けた軸２７を方立本体部２１内の屋内側から見て左側の側面寄りの位置に軸受け２８で回転自在に支持して取付けてある。羽根３は、約９０°の範囲で回転し、図５中に実線で示すように、最も屋外側に回動した全開位置では通風量が最も多くなり、屋内側に回動するにつれて通風量が少なくなり、屋内側に約９０°回動してタイト材２９に当接すると通風路２が閉鎖される。上側の羽根３の上方と下側の羽根３の下方には、図７に示すように、羽根３を屋外側に回動する方向（開方向）に付勢するバネ３０と、羽根３のチャタリングを防止するためのダンパー３３を設けてある。また羽根３は、図５に示すように、先端部の前面側に傾斜した受風部３１が設けてあり、全開位置にあるときでも羽根３と方立本体部２１内の側面との間に隙間３２が形成されるようにしている。
【００１１】
図１は羽根駆動部４の斜視図であり、図２（ａ）は羽根駆動部４を屋外側から見た正面図、図２（ｂ）は羽根駆動部４の側面図である。羽根駆動部４は、屋内側に突出して設けたダイヤル式の操作部５と、操作部５と羽根３とを係脱自在にする係脱機構６を有している。係脱機構６は、ギア３４ａ，３４ｂを介して羽根３の軸２７と連動して回動する羽根連動アーム７と、ウォームギア３５とウォームホイール３６とを介して操作部５と連動して回動する操作部連動アーム８とを有している。羽根連動アーム７と操作部連動アーム８は、上下対称に２つずつ設けてある。羽根連動アーム７は、先端部に操作部連動アーム８との対向面より出没自在に且つバネ（図示省略）で突出方向に付勢した係合ピン９を有しており、操作部連動アーム８は羽根連動アーム７との対向面に係合ピン受け溝１１を有している。操作部連動アーム８の回動軸１３は、羽根連動アーム７の回動軸１４に対して屋内側に偏心している。係合ピン受け溝１１は、図９−１に示すように、操作部連動アーム８の長手方向に沿って形成してあると共に、回動軸１３側の端部に側方に向けて開放した開放部１０が設けてある。開放部１０と連続する係合ピン受け溝１１のコーナー部３７には、突起３８が設けてある。係合ピン受け溝１１の開放部１０が設けてある側の側方には、テーパー部１２が設けてある。操作部５とウォームギア３５間にはトルクリミッター（図示省略）が内蔵してあり、これにより操作部５からの適度な締付力を確保すると共に、羽根３を閉める際等に力の掛かり過ぎにより部品が破損するのを防止している。
【００１２】
図８−１（ａ）は、羽根３を屋内側に回動した閉鎖位置で保持したときの羽根駆動部４の斜視図であり、図９−１（ａ）はこのときの羽根連動アーム７と操作部連動アーム８と羽根３との位置関係を示す平面図である。このとき、羽根連動アーム７と操作部連動アーム８は先端部が屋外側を向き、係合ピン受け溝１１の先端部に係合ピン９が係合している。この状態から操作部５を開き側に回転操作すると、図８−１（ｂ）と図９−１（ｂ）に示すように、操作部連動アーム８が屋内側に回動し、それにつれて羽根連動アーム７は係合ピン９が係合ピン受け溝１１を回動軸１３側に移動しながら屋内側に回動する。羽根連動アーム７が屋内側に回動すると、その動きがギア３４ａ，３４ｂを介して羽根３の軸２７に伝達され、羽根２７が屋外側に回動し中間位置で保持される。その後さらに操作部５を開き側に回転操作すると、図８−２（ｃ）と図９−１（ｃ）に示すように、操作部連動アーム８と羽根連動アーム７はさらに屋内側に回動し、係合ピン９が係合ピン受け溝１１内に設けた突起３８に乗り上げるため、操作部５に当りが生ずる（操作が重くなる）。なお、突起３８が無くても、係合ピン９が係合ピン受け溝１１のストレート部からコーナー部３７に移動することでいくらか当りが生ずるので、突起３８は必ずしも無くてもよい。この時点で羽根３はほぼ全開位置まで回動しており、ここで操作部５の回転操作を終了することで羽根３が全開位置に保持される。その後さらに操作部５を開き側に回転操作すると、図９−１（ｄ）に示すように、操作部連動アーム８がさらに屋内側に回動するのに伴い係合ピン９が突起３８を乗り越え、開放部１０を通じて係合ピン受け溝１１から係合ピン９が抜け出し、図８−２（ｄ）と図９−２（ｅ）に示すように、羽根連動アーム７と羽根３が自由に回動できる状態となる。この状態のときに外気導入口２４より方立１内に風が入ってくると、受風部３１に当る風の風圧により羽根３がバネ３０の付勢力に抗して屋内側に回動し、通風量が自動的に調節される。その後、操作部５をそれまでとは逆に閉じ側に回転操作すると、図９−２（ｆ）に示すように、操作部連動アーム８が屋外側に回動するのに伴い、係合ピン９が操作部連動アーム８のテーパー部１２に押されて引っ込みながら係合ピン受け溝１１に再び係合し、羽根３と操作部５とが係合する状態に復帰する。この復帰操作の際、羽根３の位置によっては係合ピン９が開放部１０を通じて係合ピン受け溝１１に係合する場合もある。
【００１３】
以上に述べたように本外壁構成体は、羽根連動アーム７の係合ピン９が操作部連動アーム８の係合ピン受け溝１１に係合した状態で操作部５を回転操作することで、羽根３を任意の角度に回動してその角度に保持できるので、羽根３を全開位置に保持して涼風感を得たり、中間位置や閉鎖位置に保持して通風量を制限したりできる。さらに、操作部５を所定量以上開き側に操作すれば、係合ピン９が係合ピン受け溝１１から抜け出て羽根連動アーム７と操作部連動アーム８とが非係合状態となるため、羽根３が風の強さに応じて閉方向に回動自在となり、通風量が自動的に調節される状態となる。また、操作部５を戻せば係合ピン９が係合ピン受け溝１１に係合し、操作部５の操作により羽根３を動かせる状態に復帰する。このように本外壁構成体は、操作部５を回転操作するだけで、羽根３の開閉操作と、羽根３と操作部５との係合・非係合状態の切換えを安定確実に行うことができ、操作性が優れている。また本外壁構成体は、方立１に屋外側張出部２２を設け、屋外側張出部２２の傾斜した側面２３ａに外気導入口２４を形成したので、壁に向かってまっすぐ吹く風だけでなく、壁に沿うように吹く横風も効率良く屋内に導入できる。
【００１４】
本発明は以上に述べた実施形態に限定されない。羽根３を開方向に付勢するバネ３０と羽根３のチャタリングを防止するダンパー３３は、羽根駆動部４に設けることもできる。羽根３と操作部５間の係脱機構６は、操作部５を所定量以上操作したときに非係合状態となり、操作部５を戻すことで係合状態に復帰できるように構成してあればよく、係合ピン９や係合ピン受け溝１１の形状・配置等は適宜変更できる。係合ピン９を操作部連動アーム８に設け、係合ピン受け溝１１を羽根連動アーム７に設けることもできる。構造材とパネルの配置・取付構造は任意であり、無目や下枠等の横方向の構造材に通風路を設け、その通風路内に羽根３を横向きに設置することもできる。
【図面の簡単な説明】
【００１５】
【図１】羽根駆動部の斜視図である。
【図２】（ａ）は羽根駆動部を屋外側から見た正面図であり、（ｂ）は羽根駆動部の側面図である。
【図３】本発明の外壁構成体の一実施形態を示す屋外側正面図である。
【図４】（ａ）は図３のＡ−Ａ断面図であり、（ｂ）は方立部の屋内側正面図である。
【図５】図３のＢ−Ｂ断面図である。
【図６】図３のＣ−Ｃ断面図である。
【図７】図４のＸ矢視図である。
【図８−１】羽根駆動部の動作を示す斜視図であって、（ａ）は羽根を閉鎖位置に保持したときの状態、（ｂ）は羽根を中間位置に保持したときの状態を示している。
【図８−２】羽根駆動部の動作を示す斜視図であって、（ｃ）は羽根を全開位置に保持したときの状態、（ｄ）は羽根連動アームと操作部連動アームとが非係合状態となり羽根が風圧で回動自在となったときの状態を示している。
【図９−１】羽根と羽根連動アームと操作部連動アームの動作を示す平面図であって、（ａ）は羽根を閉鎖位置に保持したときの状態、（ｂ）は羽根を中間位置に保持したときの状態、（ｃ）は羽根を全開位置に保持したときの状態、（ｄ）は羽根連動アームと操作部連動アームとの係合が外れるときの状態を示している。
【図９−２】羽根と羽根連動アームと操作部連動アームの動作を示す平面図であって、（ｅ）は羽根連動アームと操作部連動アームとが非係合状態となり羽根が風圧で回動自在となったときの状態、（ｆ）は羽根連動アームと操作部連動アームとが係合状態に復帰するときの状態を示している。
【符号の説明】
【００１６】
１  方立（構造材）
２  通風路
３  羽根
４  羽根駆動部
５  操作部
６  係脱機構
７  羽根連動アーム
８  操作部連動アーム
９  係合ピン
１０  開放部
１１  係合ピン受け溝
１２  テーパー部
１３  操作部連動アームの回動軸
１４  羽根連動アームの回動軸
【図１】
2010084983.tif 000003
【図２】
2010084983.tif 000004
【図３】
2010084983.tif 000005
【図４】
2010084983.tif 000006
【図５】
2010084983.tif 000007
【図６】
2010084983.tif 000008
【図７】
2010084983.tif 000009
【図８−１】
2010084983.tif 000010
【図８−２】
2010084983.tif 000011
【図９−１】
2010084983.tif 000012
【図９−２】
2010084983.tif 000013